(57)【特許請求の範囲】
【請求項１】
鍔部を備えたホースを着脱自在に保持するためのホース保持具であって、該ホース保持具は、
ベース部材と、
該ベース部材に支持される第一保持ピンと、
ベース部材に保持位置と該保持位置よりも上位の着脱位置とに移動自在に支持され、保持位置に位置している状態では第一保持ピンに近接して該第一保持ピンと共にホース鍔部に係止することでホースを保持し、着脱位置に位置している状態では第一保持ピンから離間して該第一保持ピンとの間に鍔部を挿通できる間隔を存する第二保持ピンと、
該第二保持ピンを着脱位置側に付勢する弾機とを備えると共に、
前記着脱位置に位置している第二保持ピンにホース鍔部を係止することにより該第二保持ピンがホースの自重で保持位置まで下降して第一保持ピンと共にホースを保持する構成であることを特徴とするホース保持具。
【請求項２】
請求項１において、ベース部材に、第一、第二保持ピンをそれぞれ移動自在にガイドする第一、第二ガイド溝を、該第一、第二ガイド溝間の対向間隔が上側ほど広くなるよう逆ハ字形状に傾斜させた状態で設け、第二保持ピンは、第二ガイド溝にガイドされることで保持位置と着脱位置とに移動する一方、第一保持ピンを第一ガイド溝の任意の位置に固定することで、該第一保持ピンと保持位置および着脱位置の第二保持ピンとの対向間隔を変更できる構成にしたことを特徴とするホース保持具。
【請求項３】
請求項１または２において、第一、第二保持ピンに、該第一、第二保持ピンの軸回り方向に自由回転自在な円筒状のパイプを外嵌したことを特徴とするホース保持具。
【請求項４】
請求項１乃至３の何れか一項において、ホース保持具に、該ホース保持具を走行レールに沿って移動させるための走行部材を設けたことを特徴とするホース保持具。
【発明の詳細な説明】
【技術分野】
【０００１】
本発明は、油圧ホース等のホースを着脱自在に保持するホース保持具の技術分野に関するものである。
【背景技術】
【０００２】
一般に、各種作業機械を製造する製造ライン等において、油圧ホース等のホースを保管したり搬送したりする場合に、ホースを着脱自在に保持するホース保持具を用いることがある。
この様なホース保持具として、従来、縦向片部の上部に内側に傾斜する傾斜片部が形成され、縦向片部の下部にホース鍔部に係脱する引掛片が固設された一対の揺動体を、対向させた両引掛片が離接するよう回動自在に設けると共に、両揺動体を両引掛片が離間する方向に付勢する弾性部材と、両揺動体に上下動可能に嵌合し両縦向片部に係合したときに両縦向片部を平行に規制する規制片とを具備したものが知られている（例えば、特許文献１参照。）。このものでは、規制片を上方に押し上げた状態で、ホースを下方から挿入して鍔部を引掛片の上方に位置させてから、規制片を手指で下方に引き下げて両縦向片に嵌合させることで、ホースの保持が行なわれる構成になっている。
【先行技術文献】
【特許文献】
【０００３】
【特許文献１】実用新案登録第２５８５５４７号公報
【発明の概要】
【発明が解決しようとする課題】
【０００４】
しかしながら、前記特許文献１のものは、ホース保持具にホースを保持するにあたり、一方の手でホースを持ちながら、他方の手で規制片を下方に下げて両縦向片に嵌合させるという両手での操作が必要であって、両手をフリーにした状態でないとホースの保持作業を行なえないことになって作業性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、鍔部を備えたホースを着脱自在に保持するためのホース保持具であって、該ホース保持具は、ベース部材と、該ベース部材に支持される第一保持ピンと、ベース部材に保持位置と該保持位置よりも上位の着脱位置とに移動自在に支持され、保持位置に位置している状態では第一保持ピンに近接して該第一保持ピンと共にホース鍔部に係止することでホースを保持し、着脱位置に位置している状態では第一保持ピンから離間して該第一保持ピンとの間に鍔部を挿通できる間隔を存する第二保持ピンと、該第二保持ピンを着脱位置側に付勢する弾機とを備えると共に、前記着脱位置に位置している第二保持ピンにホース鍔部を係止することにより該第二保持ピンがホースの自重で保持位置まで下降して第一保持ピンと共にホースを保持する構成であることを特徴とするホース保持具である。
請求項２の発明は、請求項１において、ベース部材に、第一、第二保持ピンをそれぞれ移動自在にガイドする第一、第二ガイド溝を、該第一、第二ガイド溝間の対向間隔が上側ほど広くなるよう逆ハ字形状に傾斜させた状態で設け、第二保持ピンは、第二ガイド溝にガイドされることで保持位置と着脱位置とに移動する一方、第一保持ピンを第一ガイド溝の任意の位置に固定することで、該第一保持ピンと保持位置および着脱位置の第二保持ピンとの対向間隔を変更できる構成にしたことを特徴とするホース保持具である。
請求項３の発明は、請求項１または２において、第一、第二保持ピンに、該第一、第二保持ピンの軸回り方向に自由回転自在な円筒状のパイプを外嵌したことを特徴とするホース保持具である。
請求項４の発明は、請求項１乃至３の何れか一項において、ホース保持具に、該ホース保持具を走行レールに沿って移動させるための走行部材を設けたことを特徴とするホース保持具である。
【発明の効果】
【０００６】
請求項１の発明とすることにより、ホース保持具へのホースの着脱を、ホースを把持する片手だけで簡単に行なえることになって、作業効率の向上に大きく貢献できる。
請求項２の発明とすることにより、第一保持ピンの第一ガイド溝に対する固定位置を変更することで、径の異なる各種ホースをホース保持具に保持させることができる。
請求項３の発明とすることにより、ホースをホース保持具に着脱する際にホースと第一、第二保持ピンとのあいだの滑り摩擦をなくすことができて、着脱の際にホースを傷つけてしまうことを回避できる。
請求項４の発明とすることにより、ホース保持具を、各種装置に設けられた走行レールに沿って自在に移動させることができる
【図面の簡単な説明】
【０００７】
【図１】（Ａ）はホース保持具の正面図、（Ｂ）は右側面図である。
【図２】ホース保持具の斜視図である。
【図３】（Ａ）、（Ｂ）、（Ｃ）、（Ｄ）、（Ｅ）はホースをホース保持具に保持させる手順を示す図である。
【図４】（Ａ）、（Ｂ）、（Ｃ）はホースをホース保持具から取外す手順を示す図である。
【図５】ホース保管／供給装置の全体図である。
【発明を実施するための形態】
【０００８】
以下、本発明の実施の形態について、図面に基づいて説明する。図１において、１はホース２を着脱自在に保持するためのホース保持具であって、該ホース保持具１は、後述するベース部材３、第一保持ピン４、第二保持ピン５、スプリング（本発明の弾機に相当する）６、ベアリング７等を備えて構成されている。
【０００９】
ここで、前記ホース２は、少なくとも一端部に、鍔部２ａを有するホース金具（ホース継手）が装着されている。そして、該鍔部２ａを後述するようにして前記ホース保持具１の第一保持ピン４および第二保持ピン５に係止させることによって、ホース２をホース保持具１に保持できるようになっている。
【００１０】
一方、前記ベース部材３は、略五角形状をした一対のベース板３Ａ、３Ｂを、該ベース板３Ａ、３Ｂの板面同志が所定間隔を存して対向するよう複数の連結ピン８〜１０により連結して形成されている。これら複数の連結ピン８〜１０としては、本実施の形態では、ベース板３Ａ、３Ｂの中央上端部同志を連結する第一連結ピン８と、該第一連結ピン８よりも下方位置においてベース板３Ａ、３Ｂの左右側部同志を連結する第二、第三連結ピン９、１０とが用いられている。
【００１１】
前記第一連結ピン８の両端部は、ベース板３Ａ、３Ｂの外側に突出しているが、該両突出端部にはベアリング（本発明の走行部材に相当する）７が装着されている。そして、ホース保持具１を例えば後述するホース保管／供給装置１６に用いた場合に、前記第一連結ピン８の両端部に装着されたベアリング７を走行車輪とすることで、ホース保管／供給装置１６に設けられた走行レール（後述するホース搬送レール１９および保持具返却レール２０）に沿ってホース保持具１を移動させることができるように構成されている。
【００１２】
さらに、１１、１２は前記ベース板３Ａ、３Ｂに形成される第一、第二ガイド溝であって、該第一、第二ガイド溝１１、１２は、これら第一、第二ガイド溝１１、１２間の対向間隔が上側ほど広くなるよう逆ハ字形状に傾斜する状態で上下方向に向けて形成されている。
【００１３】
前記第一ガイド溝１１には、両ベース板３Ａ、３Ｂの第一ガイド溝１１を貫通する状態で第一保持ピン４が移動自在に挿通されており、これにより第一保持ピン４は第一ガイド溝１１に上下移動自在にガイドされると共に、該第一保持ピン４は、ダブルナット１３により第一ガイド溝１１の任意の位置で固定させることができるようになっている。尚、本実施の形態では、第一保持ピン４は第一ガイド溝１１の下端位置に固定されている。
【００１４】
一方、前記第二ガイド溝１２には、両ベース板３Ａ、３Ｂの第二ガイド溝１２を貫通する状態で第二保持ピン５が移動自在に挿通されており、これにより第二保持ピン５は第二ガイド溝１２に上下移動自在にガイドされるようになっている。そして、該第二保持ピン５は、第二ガイド溝１２に上下移動自在にガイドされることで、第二ガイド溝１２の下端の保持位置と、該保持位置よりも上位の着脱位置との間を移動するようになっているが、保持位置に位置している状態では、図３（Ｅ）に示す如く、第一保持ピン４に近接して該第一保持ピン４と共にホース２の鍔部２ａに係止することでホース２を保持できる一方、着脱位置に位置している状態では、図３（Ａ）に示すごとく、第一保持ピン４から離間して該第一保持ピン４との間にホース２の鍔部２ａを挿通できる間隔Ｌを存するように構成されている。
【００１５】
さらに、前記第二保持ピン５は、スプリング６によって着脱位置側に向けて付勢されていて、第二保持ピン５に下方を向く力が作用していない状態では着脱位置に位置している。該スプリング６は、一端側がベース板３Ａ、３Ｂ間に支架される支持ピン１４に係止され、他端側が第二保持ピン５の一端部に係止されている。
【００１６】
また、前記第一、第二保持ピン４、５は、両ベース板３Ａ、３Ｂ間に位置する部分に、第一、第二保持ピン４、５の軸回り方向に自由回転自在な円筒状のパイプ１５が外嵌されている。これにより、ホース２をホース保持具１に着脱する際にホース２と第一、第二保持ピン４、５とのあいだの滑り摩擦をなくすことができて、ホース２を傷つけてしまうことを回避できるようになっている。
【００１７】
次いで、ホース２をホース保持具１に着脱する手順について、図３、図４に基づいて説明する。
まず、ホース２がホース保持具１に保持されていない状態では、第二保持ピン５はスプリング６の付勢力により着脱位置に位置している。該着脱位置の第二保持ピン５は、前述したように第一保持ピン４から離間していて第一保持ピン４との間にホース２の鍔部２ａを挿通できる間隔Ｌを存している（図３（Ａ）参照）。
そして、ホース保持具１にホース２を保持させる場合には、片手で把持したホース２を少し斜めに傾けて、前記第一保持ピン４と第二保持ピン５との間の間隙Ｌにホース保持具１の下方から差し込む（図３（Ｂ）参照）。次いで、ホース２の鍔部２ａが第二保持ピン５よりも上方に位置するまで差し込んでから、ホース２を鉛直方向にして少し第二保持ピン５側にずらした状態で下向きに引き下げる（図３（Ｃ）参照）と、鍔部２ａが第二保持ピン５に係止する（図３（Ｄ）参照）。該鍔部２ａが第二保持ピン５に係止した以降は、ホース２の自重により第二保持ピン５が下降して、第一保持ピン４と共に鍔部２ａの下側に係止してホース２を保持する保持位置になる（図３（Ｅ）参照）。そして、該保持位置の第二保持ピン５はホース２の自重により保持位置に維持され、これによりホース２はホース保持具１に懸吊状態で保持されることになる。而して、ホース２を把持する片手の操作だけで、ホース２をホース保持具１に保持させることができる構成になっている。
【００１８】
一方、前記ホース保持具１に保持されたホース２を取外す場合には、ホース２を片手で把持して上向きに持ち上げる（図４（Ａ）参照）。これにより、第二保持ピン５にホース２の自重が作用しなくなって、第二保持ピン５はスプリング６の付勢力により上昇し、第一保持ピン４との間に間隙Ｌを存する着脱位置になる（図４（Ｂ）参照）。その後、ホース２を少し斜めに傾けて前記間隙Ｌから下方に引き抜くことで（図４（Ｃ）参照）、ホース２をホース保持具１から取外すことができる。而して、ホース２を把持する片手だけの操作で、ホース２をホース保持具１から取外すことができる構成になっている。
【００１９】
さらに、前述したように、第一保持ピン４は、第一ガイド溝１１の任意の位置で固定できるように構成されている。そして、第一保持ピン４の第一ガイド溝１１に対する固定位置を変更することで、第一保持ピン４と保持位置および着脱位置の第二保持ピン５との対向間隔を変更することができるようになっており、而して、該対向間隔をホース２の径に対応させて調整することで、径の異なる各種ホース２をホース保持具１に保持させることができるようになっている。
【００２０】
次に、前述したホース保持具１を用いた装置として、ホース保持具１が複数具備されたホース保管／供給装置１６について説明する。該ホース保管／供給装置１６は、ホース２が装着される作業機械の組立ラインのラインサイドに設置されるものであって、ホース２を整理して一時的に保管すると共に、該保管したホース２を組立ラインに供給するときに用いられる装置であり、後述するホース取付部１７、ホース取出部１８、ホース搬送レール１９、保持具返却レール２０等の各部から構成されている。
【００２１】
前記ホース取付部１７は、ホース保管／供給装置１６の一側部（図５において右側部）に配置されており、該ホース取付部１７において、ホース保持具１にホース２が取付けられる。また、ホース取出部１８は、ホース保管／供給装置１６の他側部（図５において左側部）に配置されており、該ホース取出部１８において、ホース保持具１からホース２が取外される。また、ホース搬送レール１９は、前記ホース取付部１７とホース取出部１８との間に支架されており、該ホース搬送レール１９によって、ホース２を保持するホース保持具１がホース取付部１７からホース取出部１８へと搬送される。さらに、保持具返却レール２０は、前記ホース搬送レール１９の上方においてホース取付部１７とホース取出部１８との間に支架されており、該保持具返却レール２０によって、ホース２が取外されたホース保持具１がホース取出部１８からホース取付部１７へと搬送される構成になっている。
【００２２】
ここで、前記ホース搬送レール１９および保持具返却レール２０は、本発明の走行レールに相当するものであって、ホース保持具１は、前記第一連結ピン８の両端部に装着されたベアリング７を走行車輪として、これらホース搬送レール１９および保持具返却レール２０を走行するようになっている。さらに、ホース搬送レール１９は、ホース取付部１７側が上位でホース取出部１８側が下位となるよう傾斜状に設けられていて、ホース取付部１７でホース２が取付けられたホース保持具１が自重で自動的にホース取出部１８側に移動する構成になっている。一方、保持具返却レール２０は、ホース取出部１８側が上位でホース取付部１７側が下位となるよう傾斜状に設けられていて、ホース取出部１８でホース２が取外されたホース保持具１が自重で自動的にホース取付部１７側に移動する構成になっている。
【００２３】
また、ホース取付部１７には、ホース保持具１を受ける保持具受け２１と、該保持具受け２１を、保持具返却レール２０と連続状となる上側位置（図５に実線で示す）とホース搬送レール１９と連続状となる下側位置（図５に一点鎖線で示す）とに上下動自在に支持するガイド杆２２と、保持具受け２１を上側位置側に付勢する弾機（図示せず）とが設けられている。そして、該ホース取付部１７の保持具受け２１は、保持具返却レール２０と連続状となる上側位置に位置している状態では、保持具返却レール２０をホース取付部１７側に移動してきたホース保持具１を受止めるようになっており、該上側位置の保持具受け２１に受け止められたホース保持具１に前述したようにしてホース２を保持せしめることで、ホース取付部１７におけるホース２の取付けが行なわれるように構成されている。さらに、ホース２がホース保持具１に保持されると、該ホース２とホース保持具１の重みにより保持具受け２１が下降して、搬送レール１９と連続状となる下側位置に位置する。該下側位置の保持具受け２１は、ホース搬送レール１９よりも大きい傾斜角度でホース搬送レール１９と同方向に傾斜しており、これにより、ホース保持具１が保持具受け２１からホース搬送レール１９へと自動的に移動するようになっている。そして、ホース保持具１がホース搬送レール１９へ移動した後の保持具受け２１は、弾機の付勢力によって上側位置に戻って、次のホース保持具１を受止める構成になっている。また、図示しないが、ホース取付部１７には、保持具受け２１が上側位置から下側位置に下降することに連繋して、次のホース保持具１のホース取付部１７側への移動を規制するストッパが設けられていると共に、該ストッパによる規制は、保持具受け２１が下側位置から上側位置に戻ることに連繋して解除される構成になっている。
【００２４】
一方、ホース取出部１８には、ホース保持具１を受ける保持具受け２３と、該保持具受け２３を、保持具返却レール２０と連続状となる上側位置（図５に仮想線で示す）とホース搬送レール１９と連続状となる下側位置（図５に実線で示す）とに上下動自在に支持するガイド杆２４と、ハンドル操作に基づいて保持具受け２３を上側位置と下側位置とに移動せしめる昇降機構（図示せず）とが設けられている。そして、該ホース取出部１８の保持具受け２３は、ホース搬送レール１９と連続状となる下側位置に位置している状態では、ホース搬送レール１９をホース取出部１８側に移動してきたホース保持具１を受止めるようになっており、該下側位置の保持具受け２３に受け止められたホース保持具１から前述したようにしてホース２を取外すことで、ホース取出部１８におけるホース２の取外しが行なわれるように構成されている。さらに、ホース２を取出した後は、ハンドルを操作して保持具受け２３を上側位置まで上昇させると、該保持具受け２３が上側位置に位置したことに連繋して図示しない押出し機構が作動して、ホース保持具１を保持具受け２３から保持具返却レール２０を押出すようになっている。そして、ホース保持具１が保持具返却レール２０へと移動した後にハンドルを操作して保持具受け２３を下降させることにより、該保持具受け２３は下側位置に戻って次のホース保持具１を受止める構成になっている。また、図示しないが、ホース取出部１８には、保持具受け２３が下側位置から上側位置に上昇することに連繋して、次のホース保持具１のホース取出部１８側への移動を規制するストッパが設けられていると共に、該ストッパによる規制は、保持具受け２３が上側位置から下側位置に戻ったときに解除される構成になっている。
【００２５】
而して、ホース保管／供給装置１６において、ホース保持具１は、ホース取付部１７でホース２を保持すると共に、該ホース２を保持したホース保持具１は、ホース搬送レール１９を走行してホース取出部１８側に移動する。そして、ホース取出部１８でホース２が取外されたホース保持具１は、保持具返却レール２０を走行してホース取付部１７に戻ることになるが、このものにおいて、ホース保持具１へのホース２の取付け、取外しは、前述したように片手で行なえることになり、よって、作業効率の向上に大きく寄与できる。また、ホース取付部１７でホース保持具１に保持されたホース２を、ホース取付部１８で取出されるまでホース搬送レール１９において整理された状態で保管できることになる。
【００２６】
叙述の如く構成された本形態において、ホース保持具１は、鍔部２ａを備えたホース２を着脱自在に保持するためのものであるが、該ホース保持具１は、ベース部材３と、該ベース部材３に支持される第一保持ピン４と、ベース部材３に保持位置と該保持位置よりも上位の着脱位置とに移動自在に支持され、保持位置に位置している状態では第一保持ピン４に近接して該第一保持ピン４と共にホース鍔部２ａに係止することでホース２を保持し、着脱位置に位置している状態では第一保持ピン４から離間して該第一保持ピン４との間に鍔部２ａを挿通できる間隔Ｌを存する第二保持ピン５と、該第二保持ピン５を着脱位置側に付勢するスプリング６とを備えている。そして、ホース２がホース保持具１に保持されていない状態では、第二保持ピン５はスプリング６の付勢力により着脱位置に位置していて第一保持ピン４との間に間隙Ｌを存しており、よって、該間隙Ｌからホース２を差し込んでホース鍔部２ａを第二保持ピン５に係止させることにより、該第二保持ピン５がホース２の自重で保持位置まで下降して第一保持ピン４と共にホース２を保持することになる。一方、ホース保持具１からホース２を取外す場合には、ホース２を持ち上げると、第二保持ピン５がスプリング６の付勢力により上昇して、第一保持ピン４との間に間隙Ｌを存する着脱位置になり、よって、該間隙Ｌからホース２を引き抜くことができることになる。
【００２７】
この結果、ホース保持具１へのホース２の着脱を、ホース２を把持する片手だけで簡単に行なえることになり、而して、例えば他方の手で次に着脱するホース２を把持していたり、或いは他の作業や操作等で他方の手がふさがっていても何ら支障なくホース２を着脱できることになって、作業効率の向上に大きく貢献できる。
【００２８】
さらに、このものにおいて、ベース部材３には、第一、第二保持ピン４、５をそれぞれ移動自在にガイドする第一、第二ガイド溝１１、１２が、該第一、第二ガイド溝間の対向間隔が上側ほど広くなるよう逆ハ字形状に傾斜した状態で形成されており、そして、第二保持ピン４は、第二ガイド溝１２にガイドされることで保持位置と着脱位置とに移動する一方、第一保持ピン４は、第一ガイド溝１１の任意の位置に固定できる構成になっている。そして、該第一保持ピン４を第一ガイド溝１１の任意の位置に固定することにより、第一保持ピン４と保持位置および着脱位置の第二保持ピン５との対向間隔を変更できることになる。而して、該対向間隔をホース２の径に対応させて調整することで、径の異なる各種ホース２をホース保持具１に保持させることができることになって、ホース径に応じて多種のホース保持具を製造しなければならないような高コスト化を回避できる。
【００２９】
また、前記第一、第二保持ピン４、５には、該第一、第二保持ピン４、５の軸回り方向に自由回転自在な円筒状のパイプ１５が外嵌されている。これにより、ホース２をホース保持具１に着脱する際にホース２と第一、第二保持ピン４、５とのあいだの滑り摩擦をなくすことができて、着脱の際にホース２を傷つけてしまうような不具合を確実になくすことができる。
【００３０】
さらに、前記ホース保持具１には、走行車輪となるベアリング７が設けられており、而して、ホース保持具１を、各種装置に設けられた走行レール（例えば、 前記ホース保管／供給装置１６に設けられたホース搬送レール１９、保持具返却レール２０）に沿って自在に移動させることができることになる。
【００３１】
しかも、前記ホース保持具１を構成するベース部材３（ベース板３Ａ、３Ｂ）は、レーザー加工で簡単に製作することができ、また、第一、第二保持ピン４、５やスプリング７等の部品は汎用品を用いることができるため、ホース保持具１を安価に製造することができる。
【００３２】
尚、本発明は上記実施の形態に限定されないことは勿論であって、例えば、ホース保持具に設けられる走行部材としては、前記ベアリングに限らず、例えば回動自在なローラを用いて構成することもできる。
また、本発明のホース保持具は、前述したようなホース保管／供給装置に限らず、ホースを保管したり搬送したりする各種装置に、ホースを着脱自在に保持するホース保持具として用いることができることは勿論である。
【産業上の利用可能性】
【００３３】
本発明は、油圧ホース等のホースを保管したり搬送したりするような場合に、ホースを着脱自在に保持するホース保持具として利用することができる。
【符号の説明】
【００３４】
１    ホース保持具
２    ホース
２ａ  鍔部
３    ベース部材
４    第一保持ピン
５    第二保持ピン
６    スプリング
７    ベアリング
１１  第一ガイド溝
１２  第二ガイド溝
１５  パイプ
【図１】
0005804564.tif 000002
【図２】
0005804564.tif 000003
【図３】
0005804564.tif 000004
【図４】
0005804564.tif 000005
【図５】
0005804564.tif 000006